(57)【要約】【課題】保守員を呼ばずに、客先側でエレベータの仕様変更を簡単に行うことのできるエレベータシステムを提供する。【解決手段】エレベータの乗りかご内に設置された操作盤２４に特殊／平常切換えスイッチ２７を設けておき、この特殊／平常切換えスイッチ２７の操作により特殊モードが起動された場合に、この操作盤２４の操作部２５および表示部２６を通じてエレベータの仕様変更を行えるようにする。これにより、保守員を呼ばずに、客先側でエレベータの仕様変更を簡単に行うことができるようになる。【選択図】      図３
2006256830.tif 000002
【特許請求の範囲】
【請求項１】
エレベータの乗りかご内に設置された操作手段と、
特殊モードを起動するモード起動手段と、
このモード起動手段により上記特殊モードが起動された場合に、上記乗りかご内の上記操作手段を通じて上記エレベータの仕様を変更するための特定の機能を実行する制御手段と
を具備したことを特徴とするエレベータシステム。
【請求項２】
上記特定の機能には、上記エレベータの付加的な仕様を有効または無効とするためのオプション機能が含まれていることを特徴とする請求項１記載のエレベータシステム。
【請求項３】
上記特定の機能には、上記エレベータの運転を調整するための調整機能が含まれていることを特徴とする請求項１記載のエレベータシステム。
【請求項４】
上記特定の機能には、上記エレベータの仕様を変更する上で必要な情報を閲覧するための情報閲覧機能が含まれていることを特徴とする請求項１記載のエレベータシステム。
【請求項５】
上記オプション機能の利用情報を管理会社に送信する通信手段をさらに具備したことを特徴とする請求項２記載のエレベータシステム。
【発明の詳細な説明】
【技術分野】
【０００１】
本発明は、エレベータの乗りかご内に設置された操作盤を通じてエレベータの仕様変更を行うエレベータシステムに関する。
【背景技術】
【０００２】
エレベータの乗りかご内には、操作盤と呼ばれる操作手段がかごドアの近くに設けられている。この操作盤には、乗客が行先階の登録を行うためのボタンや、ドアを開閉するためのボタンなどが配設されている。
【０００３】
従来、このような乗りかご内の操作盤上の各ボタンを利用して特殊な作業を行うものとして、例えば特許文献１に開示されているものがある。
【０００４】
この特許文献１には、乗りかご内の操作盤（登録装置）に鍵を用いて操作するスイッチを設けておき、このスイッチ操作により運転モードを切り替え、操作盤上の各ボタンを利用して保守点検作業を行うことが開示されている。しかし、保守点検を前提としたものであり、操作盤を通じてエレベータの仕様変更を行うことはできない。
【特許文献１】特開平５−３３８９４２号公報
【発明の開示】
【発明が解決しようとする課題】
【０００５】
エレベータの仕様は工場出荷時に客先毎に決められており、納品後はその決められた仕様に従ってエレベータが運転される。ここで、エレベータの納品後に客先の都合でその仕様を変更する場合には、エレベータ管理会社に連絡し、保守員に現場に来てもらう必要がある。
【０００６】
しかしながら、例えばビル内のテナントが変わったり、模様替え、組織変更等によりエレベータの停止階を変更したり、戸開時間を長くしたり、着床チャイムを鳴らしたりといった仕様変更に関する客先の要求は随時発生する。このため、エレベータ管理会社の方では、これらの要求に直ぐに対応できないのが現状である。
【０００７】
そこで、本発明は、保守員を呼ばずに、客先側でエレベータの仕様変更を簡単に行うことのできるエレベータシステムを提供することを目的とする。
【課題を解決するための手段】
【０００８】
本発明のエレベータシステムは、エレベータの乗りかご内に設置された操作手段と、特殊モードを起動するモード起動手段と、このモード起動手段により上記特殊モードが起動された場合に、上記乗りかご内の上記操作手段を通じて上記エレベータの仕様を変更するための特定の機能を実行する制御手段とを具備して構成される。
【０００９】
このような構成によれば、特殊モードの起動により、乗りかご内の操作手段を通じてエレベータの仕様を変更することができる。
【００１０】
また、上記エレベータシステムにおいて、上記特定の機能には、上記エレベータの付加的な仕様を有効または無効とするためのオプション機能が含まれていることを特徴とする。
【００１１】
このような構成によれば、乗りかご内の操作手段を通じてオプション機能を設定することで、エレベータの付加的な仕様を有効または無効に切り換えることができる。
【００１２】
また、上記エレベータシステムにおいて、上記特定の機能には、上記エレベータの運転を調整するための調整機能が含まれていることを特徴とする。
【００１３】
このような構成によれば、乗りかご内の操作手段を通じて調整機能を設定することで、エレベータの運転を調整することができる。
【００１４】
また、上記エレベータシステムにおいて、上記特定の機能には、上記エレベータの仕様を変更する上で必要な情報を閲覧するための情報閲覧機能が含まれていることを特徴とする。
【００１５】
このような構成によれば、乗りかご内の操作手段を通じて情報閲覧機能を設定することで、エレベータの仕様を変更する上で必要な情報を閲覧することができる。
【００１６】
また、上記エレベータシステムにおいて、上記オプション機能の利用情報を管理会社に送信する通信手段をさらに具備したことを特徴とする。
【００１７】
このような構成によれば、エレベータ側でオプション機能を利用した場合にその利用情報が管理会社に送信されるので、管理会社側ではオプション利用料金を請求することが可能となる。
【発明の効果】
【００１８】
本発明によれば、客先側の都合でエレベータの仕様を変更するような場合に、その都度、エレベータ管理会社に連絡して保守員を呼ばずとも、客先側の管理者などが乗りかご内の操作手段を操作することで、エレベータの仕様を簡単に変更することができる。
【発明を実施するための最良の形態】
【００１９】
以下、図面を参照して本発明の実施形態を説明する。
【００２０】
図１は本発明の一実施形態に係るエレベータシステムの構成を示す図であり、図中の１１はビルなどに設置された客先側のエレベータ、１２はこのエレベータ１１を管理するエレベータ管理会社を示している。
【００２１】
図１に示すように、客先側のエレベータ１１には、エレベータ制御装置２１、乗りかご２２、通信部２３などが設置されている。
【００２２】
エレベータ制御装置２１は、乗りかご２２の運転制御を含むエレベータ全体の制御を行う。このエレベータ制御装置２１は、ＣＰＵ、ＲＯＭ、ＲＡＭなどを含んだ汎用のコンピュータから構成される。乗りかご２２は、エレベータ制御装置２１の制御の下で、図示せぬ巻上機の駆動により昇降路内を昇降動作する。この乗りかご２２には、乗客が行先階の登録などを行うための操作盤２４が設置されている。なお、この操作盤２４の構成については後に詳しく説明する。
【００２３】
また、このエレベータ１１に設けられた通信部２３は、遠隔地に存在するエレベータ管理会社１２との連絡手段として用いられ、通信回線１３を介してデータ通信を行う機能を備える。
【００２４】
一方、エレベータ管理会社１２には、通信部３１、コンピュータ３２、データベース（ＤＢ）３３が設置されている。
【００２５】
通信部３１は、上記通信回線１３を介してエレベータ１１との間でデータ通信を行う。コンピュータ３２は、エレベータ１１を管理する上で必要な処理を行うための制御装置として存在する。データベース３３は、エレベータ１１側でのオプション機能の利用情報を含む各種情報を蓄積するための記憶手段として用いられる。
【００２６】
なお、図１の例では、エレベータ１１が１つしか図示されていないが、実際には各地に存在する多数のエレベータを管理対象とし、エレベータ管理会社１２では、これらのエレベータを集中管理して、異常などが発生すれば、直ぐに保守員を現場に向かわせるようなシステムになっている。
【００２７】
次に、エレベータ１１の乗りかご２２内に設置された操作盤２４について説明する。
【００２８】
図２は乗りかご２２内の構成を示す図である。操作手段として用いられる操作盤２４は、乗りかご２２のかごドア２２ａの近傍、例えばかごドア２２ａの右側または左側に設置されている。
【００２９】
また、図３および図４は乗りかご２２の中に設けられた操作盤２４の構成を示す図である。この操作盤２４の操作面には、操作部２５、表示部２６、特殊／平常切換えスイッチ２７が配設されている。操作部２５は、テンキーなどからなる入力ボタン群２５ａの他、戸開を指示するための戸開ボタン２５ｂ、戸閉を指示するための戸閉ボタン２５ｃなどを有する。表示部２６は、例えば液晶ディスプレイからなり、通常（平常モード）は現在の階床や進行方向などを画面上に表示する。
【００３０】
特殊／平常切換えスイッチ２７は、特殊モードと平常モードを切り換えるためのスイッチである。平常モードとは、通常の運転サービスを行うためのモードである。図３に示すように、特殊／平常切換えスイッチ２７を下側にして平常モードを起動した場合には、操作部２５の入力ボタン群２５ａが行先階の登録ボタンとして機能するなど、乗客が目的階へ行くための通常の操作手段として用いられる。また、表示部２６には、乗りかご２２の走行状態に合わせて現在の階床や進行方向などが表示される。
【００３１】
これに対し、特殊モードとは、エレベータの仕様変更を行うためのモードである。図４に示すように、特殊／平常切換えスイッチ２７を上側にして特殊モードを起動した場合には、操作部２５の入力ボタン群２５ａがメニュー選択ボタンとして機能するなど、エレベータの仕様変更を行うための操作手段として用いられる。また、表示部２６には、エレベータの仕様変更に関するメニューなどが表示される。
【００３２】
なお、特殊／平常切換えスイッチ２７は、例えばビルの管理者など、エレベータの仕様変更が認められた特定の人が操作するものである。したがって、例えば操作盤２４の下側など、一般の乗客が操作しづらい場所を設置しておくか、あるいは、施錠付きの収納ボックス内に設けておくことが好ましい。
【００３３】
以下に、特殊／平常切換えスイッチ２７によって特殊モードを起動した場合について説明する。
【００３４】
特殊モードを起動すると、まず、図４に示すようなメニュー画面４１が操作盤２４の表示部２６に表示される。このメニュー画面４１には、「オプションの設定」、「調整機能」、「情報閲覧」といった項目がメインメニューとして設けられている。これらの項目は、エレベータ１１の仕様変更に関わるものである。
【００３５】
「オプションの設定」：エレベータのオプション機能を設定するための項目  
「調整機能」        ：エレベータの調整機能を設定するための項目  
「情報閲覧」        ：エレベータの情報閲覧機能を設定するための項目。
【００３６】
（１）「オプションの設定」
上記メニュー画面４１の１番目にある「オプションの設定」を入力ボタン群２５ａの操作により選択すると、図５に示すように、「サービス階切離し」、「着床チャイム」、「オートアナウンス」、「戸開延長」、「特定階強制停止」…といったオプション機能の各項目を選択するための画面４２が操作盤２４の表示部２６に表示される。
【００３７】
「サービス階切離し」：サービス階から切り離す階床を設定するための項目  
「着床チャイム」    ：着床時の通知音のＯＮ／ＯＦＦを設定するための項目  
「オートアナウンス」：アナウンスのＯＮ／ＯＦＦを設定するための項目  
「戸開延長」        ：戸開時間の延長を設定するための項目  
「特定階強制停止」  ：強制停止する特定階を設定するための項目。
【００３８】
なお、オプション機能とは、付加的な仕様を有効または無効するための機能である。上記各項目が付加的な仕様に相当する。
【００３９】
この選択画面４２上の任意の項目を選択すると、以後は、エレベータ制御装置２１の制御の下で、その選択した項目に対応した画面が会話形式で順次表示され、それらの画面で選択あるいは入力したデータに従ってオプション設定がなされる。
【００４０】
図６および図７は上記選択画面４２の1番目の「サービス階切離し」を選択した場合の画面例であり、図６は切離し対象階の入力画面４３ａ、図７は切離し対象階の呼びの種類の入力画面４３ｂを示している。図中の「かご呼び」とは、乗りかご内の行先階の登録ボタンの操作によって登録される呼びのことである。「ホール呼び」とは、乗場（ホール）での上方向または下方向の行先方向の登録ボタンの操作によって登録される呼びのことである。
【００４１】
このようにして、操作盤２４を通じてオプション設定を行うと、エレベータ制御装置２１は該当するオプション機能を有効にすると共に、その利用情報を通信回線１３を介してエレベータ管理会社１２に送る。エレベータ管理会社１２では、オプション機能の利用情報をエレベータ１１から取得すると、これをデータベース３３に蓄積する。
【００４２】
図８はエレベータ管理会社１２のデータベース３３の一例を示す図である。
【００４３】
データベース３３には、客先毎に各種オプションの利用状況を示す情報（利用の有無や利用開始時間など）が蓄積される。エレベータ管理会社１２では、このデータベース３３に蓄積されたオプション利用情報に基づいて、客先であるエレベータ１１側に対してオプション利用料金を請求することになる。
【００４４】
なお、請求方法としては、エレベータ管理会社１２から通信回線１３を介して請求しても良いし、郵便等を利用して請求しても良い。また、料金についても、オプション利用の数で請求しても良いし、個々の利用時間で請求しても良い。本発明では、その請求方法や料金などについて特に限定されるものではない。
【００４５】
（２）「調整機能」
メニュー画面４１の２番目にある「調整機能」を入力ボタン群２５ａの操作により選択すると、図９に示すように、「戸開時間の調整」、「戸開閉速度の調整」、「ホームランディング階の設定」、「オートアナウンスの音量」、「階床表示の変更」…といった項目を選択するための画面４４が操作盤２４の表示部２６に表示される。これらの項目は、エレベータ１１の運転サービスに関わるものである。
【００４６】
「戸開時間の調整」            ：着床時の戸開時間を調整するための項目  
「戸開閉速度の調整」          ：着床時の戸開閉速度を調整するための項目  
「ホームランディング階の設定」：基準階を設定するための項目  
「オートアナウンスの音量」    ：アナウンスの音量を調整するための項目  
「階床表示の変更」            ：階床表示の方法を変更するための項目。
【００４７】
この選択画面４４上の任意の項目を選択すると、以後は、その選択した項目に対応した画面が会話形式で順次表示され、それらの画面で選択あるいは入力したデータに従って調整がなされる。
【００４８】
図１０乃至図１２は上記選択画面４４の1番目の「戸開時間の調整」を選択した場合の画面例であり、図１０はかご呼びのみの場合の戸開時間の設定画面４５ａ、図１１はホール呼びのみの場合の戸開時間の設定画面４５ｂ、図１２かご呼びとホール呼びの両方がある場合の戸開時間の設定画面４５ｃを示している。
【００４９】
このようにして、操作盤２４を通じて任意の項目について調整を行うことができる。以後、平常モードに切り換えられたときに、エレベータ制御装置２１はその調整後の内容でエレベータ１１を運転制御する。すなわち、例えば図１０の設定画面４５ａで戸開時間が３秒に設定されたならば、かご呼びで登録された階に乗りかご２２が着床したときに、エレベータ制御装置２１はかごドア２２ａを３秒間開いた状態とする。
【００５０】
（３）「情報閲覧」
メニュー画面４１の３番目にある「情報閲覧」を入力ボタン群２５ａの操作により選択すると、図１３に示すように、「オプション利用状況」、「取扱説明」、「メンテナンス情報」といった項目を選択するための画面４６が操作盤２４の表示部２６に表示される。これらの項目は、エレベータの仕様を変更する上で必要な情報を閲覧するためのものである。
【００５１】
「オプション利用状況」：オプション利用状況を閲覧するための項目  
「取扱説明」          ：取扱説明を閲覧するための項目  
「メンテナンス情報」  ：メンテナンス情報を閲覧するための項目。
【００５２】
この選択画面４６で任意の項目を選択すると、以後は、その選択した項目に対応した画面が会話形式で順次で表示され、それらの画面で選択あるいは入力したデータに従って各種情報を閲覧できる。
【００５３】
すなわち、例えば選択画面４６上の1番目の「オプション利用状況」を選択すれば、図８に示したようなオプション利用状況に関する情報が操作盤２４の表示部２６に表示され、その内容を閲覧することができる。この場合、エレベータ１１から通信回線１３を介してエレベータ管理会社１２に対して情報要求を行う。エレベータ管理会社１２では、その情報要求に応答して、データベース３３からエレベータ１１のオプション利用情報を読み出して配信する。
【００５４】
なお、オプション利用状況をエレベータ１１側でも管理しておくことでも良い。そのようにすれば、エレベータ管理会社１２にアクセスせずにオプション利用状況の表示を実現できる。
【００５５】
また、選択画面４６上の２番目の「取扱説明」を選択すると、図１４に示すような取扱説明画面４７が表示される。この取扱説明画面４７には、操作盤２４の使い方を含め、エレベータ１１の仕様に関する項目が多数設けられている。その中の１つを選択すると、当該項目に対応した説明データがエレベータ制御装置２１内の図示せぬメモリから読み出されて操作盤２４の表示部２６に表示される。このような「取扱説明」の機能を利用すれば、エレベータ管理会社１２に連絡して操作方法などを確認しなくとも、誰でも簡単に仕様変更操作を行うことができる。
【００５６】
また、選択画面４６上の３番目の「メンテナンス情報」を選択すると、図１５に示すようなメンテナンス情報４８が表示され、例えば部品要求が必要とされるものや、現在のメンテナンス状況などを確認することができる。このようなメンテナンス情報についてもエレベータ制御装置２１が管理しており、上記選択画面４６上での操作に従って該当する情報を図示せぬメモリから読み出して表示部２６に表示する。
【００５７】
このように、エレベータ１１の仕様変更を行う場合において、エレベータ管理会社１２に連絡して保守員を呼ばなくとも、特殊／平常切換えスイッチ２７の操作により特殊モードを起動すれば、乗りかご２２内の操作盤２４を通じてオプション設定や調整といった作業を簡単に行うことができる。
【００５８】
また、その際に、「情報閲覧」の機能を利用すれば、操作に不明な点などがあっても、その場で解決することができ、誤操作することなく、迅速に作業を進めることができる。さらに、保守員が現場で点検などを行う際にも、この「情報閲覧」の機能を利用すれば、多数のマニュアルなどの資料を持ち歩かなくても済むようになる。
【００５９】
また、客先側でオプション機能を利用した場合には、その利用情報が通信回線１３を介してエレベータ管理会社１２に送信されるので、エレベータ管理会社１２では、そのオプション利用料金を請求することができる。
【００６０】
なお、上記実施形態では、特殊／平常切換えスイッチ２７により平常モードと特殊モードを切換える構成としたが、例えばテンキー（入力ボタン群２５ａ）を用いて暗証番号方式でモード切換えを行うようにしても良い。
【００６１】
また、各メニュー項目を選択する場合に、例えば上下左右に可動するジョイスティックを用いたり、表示部２６をタッチパネルとしてタッチ方式で選択するような構成にしても良い。
【００６２】
要するに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６３】
【図１】図１は本発明の一実施形態に係るエレベータシステムの構成を示す図である。
【図２】図２は同実施形態におけるエレベータの乗りかご内の構成を示す図である。
【図３】図３は同実施形態におけるエレベータの乗りかご内に設置された操作盤の構成を示す図であり、平常モード時の画面状態を示す図である。
【図４】図４は同実施形態におけるエレベータの乗りかご内に設置された操作盤の構成を示す図であり、特殊モード時の画面状態を示す図である。
【図５】図５は同実施形態におけるエレベータのオプション機能の選択画面の一例を示す図である。
【図６】図６は同実施形態におけるエレベータのオプション機能に含まれる「サービス階切離し」に関する画面の一例を示す図であり、切離し対象階を入力するための画面を示す図である。
【図７】図７は同実施形態におけるエレベータのオプション機能に含まれる「サービス階切離し」に関する画面の一例を示す図であり、切離し対象階の呼びの種類を入力するための画面を示す図である。
【図８】図８は同実施形態におけるエレベータ管理会社のデータベースの一例を示す図である。
【図９】図９は同実施形態におけるエレベータの調整機能の選択画面の一例を示す図である。
【図１０】図１０は同実施形態におけるエレベータの調整機能に含まれる「戸開時間の調整」に関する画面の一例であり、かご呼びのみの場合の戸開時間の設定画面を示す図である。
【図１１】図１１は同実施形態におけるエレベータの調整機能に含まれる「戸開時間の調整」に関する画面の一例であり、ホール呼びのみの場合の戸開時間の設定画面を示す図である。
【図１２】図１２は同実施形態におけるエレベータの調整機能に含まれる「戸開時間の調整」に関する画面の一例であり、かご呼びとホール呼びの両方がある場合の戸開時間の設定画面を示す図である。
【図１３】図１３は同実施形態におけるエレベータの情報閲覧機能の選択画面の一例を示す図である。
【図１４】図１４は同実施形態におけるエレベータの情報閲覧機能に含まれる「取扱説明」の画面例を示す図である。
【図１５】図１５は同実施形態におけるエレベータの情報閲覧機能に含まれる「メンテナンス情報」の画面例を示す図である。
【符号の説明】
【００６４】
１１…エレベータ、１２…エレベータ管理会社、１３…通信回線、２１…エレベータ制御装置、２２…乗りかご、２２ａ…かごドア、２３…通信部、２４…操作盤、２５…操作部、２５ａ…入力ボタン群、２５ｂ…戸開ボタン、２５ｃ…戸閉ボタン、２６…表示部、２７…特殊／平常切換えスイッチ、３１…通信部、３２…コンピュータ、３３…データベース。
【図１】
2006256830.tif 000003
【図２】
2006256830.tif 000004
【図３】
2006256830.tif 000005
【図４】
2006256830.tif 000006
【図５】
2006256830.tif 000007
【図６】
2006256830.tif 000008
【図７】
2006256830.tif 000009
【図８】
2006256830.tif 000010
【図９】
2006256830.tif 000011
【図１０】
2006256830.tif 000012
【図１１】
2006256830.tif 000013
【図１２】
2006256830.tif 000014
【図１３】
2006256830.tif 000015
【図１４】
2006256830.tif 000016
【図１５】
2006256830.tif 000017